(57)【要約】【課題】  患者のプライバシーを保護しつつ、医療従事者が常に患者の氏名を確認できるようにする。【解決手段】  患者識別情報と一致する識別情報を持つ無線タグ７が廊下灯１に近付いた場合に、表示部６に表示されている患者の氏名を非表示とするようにしているので、見舞い先の患者が居る部屋の廊下灯１にて患者の氏名の表示が許可された無線タグ７を見舞い客に渡すことで、その見舞い客に対して、自分の見舞い先の患者以外の氏名が廊下灯１の表示部６に表示されなくなり、見舞い客は、見舞い先の患者以外の氏名を見ることができなくなって、患者のプライバシーを保護することができる。また、無線タグ７を持たない医療従事者に対して、患者の氏名が常に廊下灯１の表示部６に表示されるので、医療従事者は、煩わしい操作などを行うことなく、常に患者の氏名を確認することができる。【選択図】        図１
2007167478.tif 000002
【特許請求の範囲】
【請求項１】
少なくとも患者の氏名を含む患者情報を表示する表示部と、
見舞い客が所持する無線タグとの間で通信を行う通信部と、
前記通信部が前記無線タグとの間で通信を行っていない場合、及び、前記通信部が前記無線タグとの間で通信を行っており、前記無線タグが前記患者情報の前記表示部への表示を許可するものであるか否かを判定して前記無線タグが前記患者情報の表示を許可されたものであると判断した場合には、前記患者情報を前記表示部に表示させ、前記通信部が前記無線タグとの間で通信を行っており、前記無線タグが前記患者情報の前記表示部への表示を許可するものであるか否かを判定して前記無線タグが前記患者情報の表示を許可しないものであると判断した場合には、前記患者情報を前記表示部に表示させないようにする制御部と、
を備えた廊下灯。
【発明の詳細な説明】
【技術分野】
【０００１】
本発明は、病院などの施設における病室の出入口の近傍に設けられ、病室の番号や患者の氏名などを表示する廊下灯に関する。
【背景技術】
【０００２】
従来、ナースコールシステムでは、患者や被介護者（以下、患者と記載する）の近辺（例えば、ベッド近傍など）に設置されたナースコール子機及び看護師や介護者（以下、医療従事者と記載する）の居る部屋などに設置されたナースコール親機を有線や無線などにより接続している。また、ナースコール子機とナースコール親機との間には廊下灯が接続されている。
【０００３】
ここで、廊下灯は、病室などの部屋の壁面に取り付けられている。また、廊下灯は、病室の番号や患者の氏名などを表示している。また、廊下灯は、ナースコール親機と連動しており、ベッド近傍に設置されたナースコール子機により患者が呼出しを行うと、ナースコール子機は、ナースコール親機や医療従事者が携帯する無線端末装置に呼出しを通知すると共に、廊下灯を点灯させる。また、医療従事者は、廊下灯の点灯によって、呼出しを行った患者が居る部屋を特定することができる。
【０００４】
ところで、廊下灯に表示される患者の氏名について、プライバシー保護の観点から改善の要望がある。これに対して、廊下灯の患者の氏名などを表示する部分を液晶ディスプレイなどにより構成し、患者からの呼出しが行われていない待ち受け状態のときには待ち受け画面を液晶ディスプレイに表示し、呼出しが行われたときには患者の氏名などを液晶ディスプレイに表示する廊下灯が知られている（例えば、特許文献１など）。
【特許文献１】特開２００４−１０４６９１号公報
【０００５】
しかしながら、この特許文献１に記載の技術では、患者からの呼出しが行われていない待ち受け状態の場合には、患者の氏名などが廊下灯の液晶ディスプレイに表示されない。そのため、医療従事者は、廊下灯を操作する（廊下灯がタッチパネル式の液晶ディスプレイにより構成されている場合などには、ディスプレイを触る）などして患者の氏名を液晶ディスプレイに表示させる必要があるので、患者の氏名の確認が面倒になってしまうという問題点があった。
【発明の開示】
【発明が解決しようとする課題】
【０００６】
本発明は、このような問題を解決するために成されたものであり、患者のプライバシーを保護しつつ、医療従事者が常に患者の氏名を確認できるようにすることを目的とする。
【課題を解決するための手段】
【０００７】
上述した課題を解決するために、本発明では、患者の氏名を表示する表示部を備え、廊下灯の通信部が無線タグとの間で通信を行っていない場合と、通信を行っている場合に無線タグを識別してその無線タグが患者の氏名の表示を許可されたものであると判断した場合とでは、患者の氏名を表示部に表示し、通信を行っている場合に無線タグを識別してその無線タグが患者の氏名の表示を許可しないものであると判断した場合には、患者の氏名を表示部に表示しないようにしている。
【発明の効果】
【０００８】
上記のように構成した本発明によれば、見舞い先の患者が居る部屋の廊下灯にて患者の氏名の表示が許可された無線タグを見舞い客に渡すことで、その見舞い客に対して、自分の見舞い先の患者以外の氏名が廊下灯に表示されなくなる。これにより、見舞い客は、見舞い先の患者以外の氏名を見ることができなくなる。従って、患者のプライバシーを保護することができる。また、無線タグを持たない医療従事者に対して、患者の氏名が常に廊下灯に表示される。これにより、医療従事者は、煩わしい操作などを行うことなく、常に患者の氏名を確認することができる。
【発明を実施するための最良の形態】
【０００９】
以下、本発明の一実施形態を図面に基づいて説明する。図１は、本実施形態による廊下灯１の構成例を示すブロック図である。図１に示すように、本実施形態による廊下灯１は、制御部２、患者情報記憶部３、通信部４、表示制御部５、表示部６を備えて構成されている。
【００１０】
図１において、廊下灯１は、各部屋毎に設けられており、伝送線を介してナースコール親機やナースコール子機（共に図示せず）に接続されている。ここで、複数の廊下灯１は、一つのナースコール親機に対して識別可能に接続されている。また、無線タグ７は、無線タグ７を所持する見舞い客がどの患者を見舞いに来たのかを識別する患者識別情報を送信する。
【００１１】
ここで、無線タグ７とは、物体の識別に利用される微小な無線ＩＣ（Integrated
Circuit）チップである。無線ＩＣチップには、自身の識別コードなどの情報が記録されており、電波を使って通信部４と情報を送受信する能力をもつ。無線タグ７は、数ｃｍ程度の大きさで、電波や電磁波で通信部４と交信する。また、無線タグ７の中には、アンテナ側からの非接触電力伝送技術により、電池を持たない半永久的に利用可能なものもある。また、無線タグ７の形状は、ペンダント型、名札型などの見舞い客が持ち歩き易い形状であることが好ましい。また、無線タグの通信距離は、見舞い客が廊下を歩いているときに通信できる距離であることが好ましく、例えば、１ｍ〜３ｍ程度であることが好ましい。
【００１２】
制御部２は、廊下灯１の各構成要素を後述するように制御する。患者情報記憶部３は、廊下灯１が設置された病室に居る患者の患者情報とこの患者を識別するための患者識別情報とを記憶する。ここで、患者情報は、少なくとも患者の氏名を含む情報であり、ナースコール親機により入力される。
【００１３】
通信部４は、無線タグ７が廊下灯１に近接すると、無線タグ７との間で通信を開始する。無線タグ７との間で通信が開始されると、通信部４は、無線タグ７の識別情報を受信する。この識別情報は、患者情報記憶部３に記憶される患者識別情報と同じものである。例えば、ある無線タグ７を２０１号室の患者の見舞い客に渡す場合には、２０１号室の廊下灯１の制御部２は、その無線タグ７の識別情報をナースコール親機により２０１号室の患者情報記憶部３に患者識別情報として記憶する。
【００１４】
表示制御部５は、患者情報記憶部３から抽出された患者情報に基づいて患者の氏名を表示部６に表示する。表示部６は、液晶ディスプレイなどにより構成されており、患者の氏名を表示する。
【００１５】
表示部６に患者の氏名が表示された状態で、制御部２は、通信部４が受信した無線タグ７の識別情報と患者情報記憶部３に記憶されている患者識別情報とを比較し、両者が一致するか否かを調べる。両者が一致した場合には、制御部２は、表示制御部５を制御して、表示部６への患者の氏名の表示を継続させる。
【００１６】
一方、両者が一致しない場合には、制御部２は、表示制御部５を制御して、表示部６への患者の氏名の表示を停止させる。
【００１７】
例えば、図２（ａ）に示すように、２０１号室の患者を見舞いに来た見舞い客は、受付にて２０１号室用の無線タグ７を渡される。この見舞い客が２０１号室に近付くと、２０１号室の廊下灯の表示部６ａには、「○○  ○○」という患者の氏名の表示が継続される。そして、見舞い客が矢印Ａの方向に歩いて２０２号室、２０３号室に近付くと、２０２号室の廊下灯の表示部６ｂ及び２０３号室の廊下灯の表示部６ｃには、患者の氏名の表示が停止され、患者の氏名が非表示となる。
【００１８】
一方、図２（ｂ）に示すように、無線タグ７を持たない医療従事者などが２０１号室に近付くと、２０１号室の廊下灯の表示部６ａには、「○○  ○○」という患者の氏名の表示が継続される。同様に、医療従事者が矢印Ａの方向に歩いて２０２号室に近付くと、２０２号室の廊下灯の表示部６ｂには、「××  ××」という患者の氏名の表示が継続され、２０３号室に近付くと、２０３号室の廊下灯の表示部６ｃには、「△△  △△」という患者の氏名の表示が継続される。
【００１９】
次に、本実施形態による廊下灯１の動作及び氏名表示方法を説明する。図３は、本実施形態による廊下灯１の動作及び氏名表示方法を示すフローチャートである。まず、ナースコール親機にて、患者情報の入力が行われると、廊下灯１の制御部２は、患者情報記憶部３から患者情報を抽出して、表示制御部５により表示部６に患者の氏名を表示させる（ステップＳ１）。
【００２０】
表示部６に患者の氏名を表示した状態で、通信部４が無線タグ７と通信しているか否かを制御部２にて調べる（ステップＳ２）。通信部４が無線タグ７と通信していないと制御部２にて判断した場合には（ステップＳ２にてＮＯ）、ステップＳ１の処理に戻る。
【００２１】
一方、通信部４が無線タグ７と通信していると制御部２にて判断した場合には（ステップＳ２にてＹＥＳ）、制御部２は、通信部４が無線タグ７から受信した識別情報と患者情報記憶部３に記憶されている患者識別情報とを比較して、両者が一致するか否か（換言すると、無線タグ７が患者の氏名の表示を許可するものであるか否か）を調べる（ステップＳ３）。両者が一致すると制御部２にて判断した場合には（ステップＳ３にてＹＥＳ）、ステップＳ１の処理に戻る。
【００２２】
一方、両者が一致しないと制御部２にて判断した場合には（ステップＳ３にてＮＯ）、制御部２は、表示制御部５を制御して表示部６に表示されている患者の氏名を非表示とする（ステップＳ４）。そして、ステップＳ２の処理に戻る。ここで、ステップＳ１〜ステップＳ４の処理は、患者の氏名の表示制御の動作を廊下灯１に対する操作などにより中止するまで繰り返し行われる。
【００２３】
以上詳しく説明したように、本実施形態によれば、患者識別情報と一致する識別情報を持つ無線タグ７が廊下灯１に近付いた場合に、表示部６に表示されている患者の氏名を非表示とするようにしている。これにより、見舞い先の患者が居る部屋の廊下灯１にて患者の氏名の表示が許可された無線タグ７を見舞い客に渡すことで、その見舞い客に対して、自分の見舞い先の患者以外の氏名が廊下灯１の表示部６に表示されなくなる。従って、見舞い客は、見舞い先の患者以外の氏名を見ることができなくなり、患者のプライバシーを保護することができる。また、無線タグ７を持たない医療従事者に対して、患者の氏名が常に廊下灯１の表示部６に表示されるので、医療従事者は、煩わしい操作などを行うことなく、常に患者の氏名を確認することができる。
【００２４】
なお、前述した実施形態では、無線タグ７の識別情報と患者情報記憶部３に記憶された患者識別情報とが一致した場合に、廊下灯１の表示部６に表示された患者の氏名を非表示としているが、これに限定されない。例えば、無線タグ７の識別情報と患者識別情報とを関連付けて患者情報記憶部３に記憶し、無線タグ７の識別情報と患者識別情報とが関連付けられたものである場合に、廊下灯１の表示部６に表示された患者の氏名を非表示としても良い。
【００２５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２６】
本発明は、病院などの施設における病室の出入口の近傍に設けられ、病室の番号や患者の氏名などを表示する廊下灯に有用である。
【図面の簡単な説明】
【００２７】
【図１】本実施形態による廊下灯の構成例を示すブロック図である。
【図２】本実施形態の廊下灯による患者の氏名表示の例を示す図である。
【図３】本実施形態による廊下灯の動作及び氏名表示方法を示すフローチャートである。
【符号の説明】
【００２８】
１    廊下灯
２    制御部
３    患者情報記憶部
４    通信部
５    表示制御部
６    表示部
７    無線タグ
【図１】
2007167478.tif 000003
【図２】
2007167478.tif 000004
【図３】
2007167478.tif 000005